(57)【要約】【課題】  リアパネルより厚さが分厚いシャーシに冷却用ファンを固定することによって冷却用ファンの駆動による騒音を抑えることができ、しかも、別部材を用いることがなくて部品点数が少なくコストダウンを図ることができる冷却用ファンの固定構造を提供する。【解決手段】  リアパネル１の下側のシャーシ２に上向きに２本の金属製の足部４、４が立設され、これらの足部４、４の上端に冷却用ファン３の下壁部３ｂを当接して足部４、４、に冷却用ファン３をビス５で固定すると共に冷却用ファン３をリアパネル１にビス５で固定するように構成し、足部４、４は横断面略Ｌ字形に形成され、上端の冷却用ファン３に当接される箇所が水平に折曲されて、この折曲部４ａに冷却用ファン３が載置されると共に、足部４、４の折曲部４ａの横側に折曲部４ａより上側に突出した突出片４ｂが冷却用ファン３の縦壁部３ａに当接されて冷却用ファン３にビス５で固定されている。【選択図】  図１
2008300707.tif 000002
【特許請求の範囲】
【請求項１】
冷却用ファンをビスでリアパネルに取付固定するようにした冷却用ファンの固定構造において、前記リアパネルの下側のシャーシに上向きに２本の金属製の足部が立設され、これらの足部の上端に前記冷却用ファンの下壁部を当接してこれらの足部に前記冷却用ファンをビス止め固定すると共に前記冷却用ファンを前記リアパネルにビス止め固定するように構成したことを特徴とする冷却用ファンの固定構造。
【請求項２】
前記足部は横断面略Ｌ字形に形成され、上端の前記冷却用ファンに当接される箇所が水平に折曲されて、この折曲部に前記冷却用ファンが載置されると共に、前記足部の折曲部の横側に折曲部より上側に突出した部分が前記冷却用ファンの縦壁部に当接されて前記冷却用ファンにビス止め固定されている請求項１に記載の冷却用ファンの固定構造。
【請求項３】
前記足部の上端に冷却用ファン側に折曲して前記冷却用ファンの下面に当接する折曲片が形成されており、この折曲片が前記冷却用ファンの下壁部にビス止め固定されている請求項１に記載の冷却用ファンの固定構造。
【請求項４】
前記足部は横断面略コ字形に形成され、この足部の外側部分が上向きに延設されて垂直片に形成され、前記冷却用ファンが前記足部に載置された状態で前記垂直片が前記冷却用ファンの縦壁部にビス止め固定されている請求項１に記載の冷却用ファンの固定構造。
【請求項５】
前記足部は、前記リアパネルにビス止め固定されている請求項１乃至４のいずれかに記載の冷却用ファンの固定構造。
【発明の詳細な説明】
【技術分野】
【０００１】
本発明は、冷却用ファンをビスでリアパネルに取付固定するようにした冷却用ファンの固定構造に関するものである。
【背景技術】
【０００２】
従来、冷却用ファンは、リアパネルにビス止めで固定されており、冷却用ファンの駆動によりリアパネルが振動することで冷却用ファンの騒音が大きくなるという問題があった。
【０００３】
第１の従来技術を図４（ａ）（ｂ）、図５に示す。この従来の送風ファンを備えた電子機器は、図４（ａ）（ｂ）に示すように、送風ファン１０１が、扁平状のケーシング１０２と、ケーシング１０２の上面及び下面に形成された上面吸気孔１０７及び下面吸気孔と、ケーシング１０２の側面に形成された排気孔１０８と、ケーシング１０２の下部に固定されたベース部１０３と、ベース部１０３の上面に立設された軸受部１１４と、軸受部１１４の周囲に配設された固定子１１５と、ケーシング１０２の内部に配設されたファン部１１０とを備えた構成を有する。（例えば、特許文献１参照）。
【０００４】
ところが、これにおいては、ベース部１０３に設けられた固定用ボス部１０５にベース固定部１０４を連結した構造であって上下方向の固定だけであるから、横方向の振動に対しては弱いという問題があった。
【０００５】
第２の従来技術を図６に示す。この従来の電子機器における冷却ファンの固定構造は、図６に示すように、電子機器における冷却ファンの固定構造は、ファンフレーム２１０を備えた冷却ファン２０１と、弾性部材２０２と、ケース２０３と、フレーム２０４とで構成する。弾性部材２０２は、一枚の板状部材で形成し、ファンフレーム２１０の三面を弾圧するようにファンフレーム２１０の外側を覆う。ケース２０３は一辺を開放したコ字形状をなし、ケース２０３の幅方向内寸法Ｗ２はファンフレーム２１０の外側を覆った弾性部材２０２の幅方向寸法Ｗ１より小さくなるように形成している。また、ケース２０３は切り込み部２２２を持つ嵌含片２１１を開放部近傍に形成し、フレーム２０４に形成した切れ込み部２２２を持つ嵌含片２２１と嵌合させる。この時、ケース２０３は弾性部材２０２によって幅方向を拡大する方向に弾圧されており、この弾圧力によってケース２０３の側面はフレーム２０４に形成した嵌含片２２１を弾圧することになる。（例えば、特許文献２参照）。
【０００６】
ところが、これにおいては、フレーム２０４と冷却ファン２０１との間に隙間があるから、冷却ファン２０１からの排気がもれてしまうという問題があり、フレーム２０４に設けた切り込み部２２２を有する嵌合片２２１とケース２０３に設けた切り込み部２２２との引っ掛け構造であるために、この引っ掛け構造が弱い構造であり、冷却ファン２０１の駆動による振動が生じるという問題があった。また、弾性部材２０２を用いているから部品点数が多くてコスト高になるという問題があった。
【０００７】
第３の従来技術を図７に示す。この従来の小型電子機器の放熱ファン取付構造は、図７に示すように、放熱ファン３０１が、クッション材３０５を介して放熱ファン取付部３０２に取付けられ、放熱ファン取付部３０２からは腕３０３Ａ，３０３Ｂが出てより、筺体３０６に固定された支柱（固定体）３０４Ａ，３０４Ｂに取付けられている。（例えば、特許文献３参照）。
【０００８】
ところが、これにおいては、クッション材３０５を用いているから、部品点数が多くなりコスト高になるという問題があった。
【特許文献１】特開２００５−３４７６７１号公報
【特許文献２】特開平１１−６８３６４号公報
【特許文献３】実開平４−８５７８号公報
【発明の開示】
【発明が解決しようとする課題】
【０００９】
本発明は、上記従来の問題に鑑みてなされたものであって、リアパネルより厚さが分厚いシャーシに冷却用ファンを固定することによって冷却用ファンの駆動による騒音を抑えることができ、しかも、別部材を用いることがなくて部品点数が少なくコストダウンを図ることができる冷却用ファンの固定構造を提供することを目的としている。
【課題を解決するための手段】
【００１０】
本発明は、上記課題を解決するために提案されたものであって、請求項１に記載の発明は、冷却用ファンをビスでリアパネルに取付固定するようにした冷却用ファンの固定構造において、前記リアパネルの下側のシャーシに上向きに２本の金属製の足部が立設され、これらの足部の上端に前記冷却用ファンの下壁部を当接してこれらの足部に前記冷却用ファンをビス止め固定すると共に前記冷却用ファンを前記リアパネルにビス止め固定するように構成したことを特徴としている。
【００１１】
請求項２に記載の発明は、請求項１に記載の発明において、前記足部は横断面略Ｌ字形に形成され、上端の前記冷却用ファンに当接される箇所が水平に折曲されて、この折曲部に前記冷却用ファンが載置されると共に、前記足部の折曲部の横側に折曲部より上側に突出した部分が前記冷却用ファンの縦壁部に当接されて前記冷却用ファンにビス止め固定されている。
【００１２】
請求項３に記載の発明は、請求項１に記載の発明において、前記足部の上端に冷却用ファン側に折曲して前記冷却用ファンの下面に当接する折曲片が形成されており、この折曲片が前記冷却用ファンの下壁部にビス止め固定されている。
【００１３】
請求項４に記載の発明は、請求項１に記載の発明において、前記足部は横断面略コ字形に形成され、この足部の外側部分が上向きに延設されて垂直片に形成され、前記冷却用ファンが前記足部に載置された状態で前記垂直片が前記冷却用ファンの縦壁部にビス止め固定されている。
【００１４】
請求項５に記載の発明は、請求項１乃至４のいずれかに記載の発明において、前記足部は、前記リアパネルにビス止め固定されている。
【発明の効果】
【００１５】
請求項１に記載の発明によれば、冷却用ファンをリアパネルにビス止め固定すると共に、シャーシに２本の足部を介して冷却用ファンをビス止め固定するようにしたから、厚さが分厚いシャーシに冷却用ファンが固定されることにより、冷却用ファンの駆動による騒音を抑えることができる。また、２本の足部はシャーシに立設されているから、別部材を用いることがなくて部品点数が少なくコストダウンを図ることができる。
【００１６】
請求項２に記載の発明によれば、足部は断面略L字形に形成されているから、足部の強度を強くすることができ、この足部の折曲部に冷却用ファンが載置されているから、冷却用ファンを安定して足部で支えることができる。また、折曲部より上側に突出した部分が冷却用ファンの縦壁部に当接されて冷却用ファンにビス止め固定されているから、ビス止め作業が行い易い利点がある。
【００１７】
請求項３に記載の発明によれば、足部の上端に折曲片が形成されているから、この足部の形状を簡単化することができ、しかも、この折曲片に冷却用ファンの底部が載置されるから、冷却用ファンを安定した状態で支持することができる。
【００１８】
請求項４に記載の発明によれば、足部が横断面略コ字形に形成されているから、足部の強度を強くすることができ、この足部に冷却用ファンが載置されるから、冷却用ファンを安定した状態で支えることができる。また、足部の外側部分に上向きに延設された垂直片を冷却用ファンの縦壁部にビス止め固定するから、このビス止め作業が行い易い利点がある。
【００１９】
請求項５に記載の発明によれば、足部がリアパネルにビス止め固定されているから、足部を補強することができると共に、リアパネルにおける冷却用ファンがビス止め固定された部分が強固な構造となり、冷却用ファンの駆動による振動を抑えることができて、騒音をより一層抑えることができる。
【発明を実施するための最良の形態】
【００２０】
以下、本発明に係る冷却用ファンの固定構造の実施の形態について、図を参照しつつ説明する。
【００２１】
図１は本発明の第１実施形態の冷却用ファンの固定構造を示し、（ａ）はその正面図、（ｂ）はその要部の部分斜視図である。
【００２２】
この第１実施形態の冷却用ファンの固定構造は、図１（ａ）に示すように、リアパネル１の下側にシャーシ２が配置され、このシャーシ２から冷却用ファン３を固定するための２本の足部４、４が立設されている。これらの足部４、４は図１（ｂ）にも示すように、横断面略Ｌ字形に形成され、上端の冷却用ファン３に当接する箇所が水平に折曲されて、この折曲部４ａに冷却用ファン３が載置されると共に、足部４、４の折曲部４ａの横側に折曲部４ａより上側に突出した突出片４ｂが冷却用ファン３の縦壁部３ａに当接して冷却用ファン３にビス５で固定されている。更に、足部４、４はリアパネル１にビス５で固定されていると共に、冷却用ファン３はリアパネル１にビス５で固定されている。尚、図１（ｂ）において、符号４ｃ、４ｄは足部４に設けられたビス穴である。
【００２３】
従って、この第１実施形態によれば、冷却用ファン３をリアパネル１にビス５で固定すると共にシャーシ２に２本の足部４を介して冷却用ファン３をビス５で固定するようにしたから、厚さが分厚いシャーシ２に冷却用ファン３が固定されることにより、冷却用ファン３の駆動による騒音を抑えることができる。また、２本の足部４はシャーシ２に立設されているから、別部材を用いることがなくて部品点数が少なくコストダウンを図ることができる。更に、足部４は断面略L字形に形成されているから、足部４の強度を強くすることができ、この足部４の折曲部４ａに冷却用ファン３が載置されているから、冷却用ファン３を安定して足部４で支えることができる。
【００２４】
また、折曲部４ａより上側に突出した部分が冷却用ファン３の縦壁部３ａに当接されて冷却用ファン３にビス５で固定されているから、ビス止め作業が行い易い利点がある。また、足部４がリアパネル１にビス５で固定されているから、足部４を補強することができると共に、リアパネル１における冷却用ファン３がビスで固定された部分が強固な構造となり、冷却用ファン３の駆動による振動を抑えることができて、騒音をより一層抑えることができる。
【００２５】
図２は第２実施形態の冷却用ファンの固定構造を示す正面図である。
【００２６】
この第２実施形態の冷却用ファンの固定構造は、図２に示すように、足部４Ａの上端に冷却用ファン３側に折曲して冷却用ファン３の下面に当接する水平向きの折曲片４ｅが形成されていて、この折曲片４ｅが冷却用ファン３の下壁部３ｂにビス５で固定されている。また、冷却用ファン３はリアパネル１にビス５で固定されている。尚、足部４Ａをリアパネル１にビス止め固定されていてもよい。
【００２７】
従って、この第２実施形態によれば、足部４Ａの上端に水平向きの折曲片４ｅが形成されているから、この足部４Ａの形状を簡単化することができ、しかも、この折曲片４ｅに冷却用ファン３の底部が載置されるから、冷却用ファン３を安定した状態で支持することができる。
【００２８】
図３は第３実施形態の冷却用ファンの固定構造を示し、（ａ）はその正面図、（ｂ）はその要部の部分斜視図である。
【００２９】
この第３実施形態の冷却用ファンの固定構造は、図３（ａ）（ｂ）に示すように、足部４Ｂが断面略コ字形に形成され、この足部４Ｂの外側部分が上向きに延設されて垂直片４ｆに形成されている。そして、冷却用ファン３が足部４Ｂに載置された状態で垂直片４ｆが冷却用ファン３の縦壁部３ａにビス５で固定されている。更に、冷却用ファン３はリアパネル１にビス５で固定されている。尚、図３（ｂ）において、符号４ｇは足部４ｂに形成されたビス穴である。更に尚、足部４Ｂはリアパネル１にビス止め固定されていてもよい。
【００３０】
従って、この第３実施形態によれば、足部４Ｂが横断面略コ字形に形成されているから、足部４Ｂの強度を強くすることができ、この足部４Ｂに冷却用ファン３が載置されるから、冷却用ファン３を安定した状態で支えることができる。また、足部４Ｂの外側部分に上向きに延設された垂直片４ｆを冷却用ファン３の縦壁部３ａにビス５で固定するから、このビス止め作業が行い易い利点がある。
【図面の簡単な説明】
【００３１】
【図１】本発明の第１実施形態の冷却用ファンの固定構造を示し、（ａ）はその正面図、（ｂ）はその要部の部分斜視図である。
【図２】第２実施形態の冷却用ファンの固定構造を示す正面図である。
【図３】第３実施形態の冷却用ファンの固定構造を示し、（ａ）はその正面図、（ｂ）はその要部の部分斜視図である。
【図４】従来の送風ファンを備えた電子機器を示し、（ａ）はその送風ファンの斜視図、（ｂ）はその送風ファンの分解斜視図である。
【図５】同電子機器の部分断面図である。
【図６】従来の電子機器における冷却ファンの固定構造を示す分解斜視図である。
【図７】従来の小型電子機器の放熱ファン取付構造を示す斜視図である。
【符号の説明】
【００３２】
１      リアパネル
２      シャーシ
３      冷却用ファン
３ａ    縦壁部
３ｂ    下壁部
４      足部
４Ａ    足部
４ａ    折曲部
４Ｂ    足部
４ｂ    突出片
４ｃ    ビス穴
４ｄ    ビス穴
４ｅ    折曲片
４ｆ    垂直片
４ｇ    ビス穴
５      ビス
【図１】
2008300707.tif 000003
【図２】
2008300707.tif 000004
【図３】
2008300707.tif 000005
【図４】
2008300707.tif 000006
【図５】
2008300707.tif 000007
【図６】
2008300707.tif 000008
【図７】
2008300707.tif 000009